(57)【要約】【課題】  カラオケ演奏中や曲間において、演奏中の楽曲名を知ることができない。【解決手段】  カラオケのリモコンとして使用するスマートフォン等のアプリに、現在演奏中の曲の「曲名表示」を行い、さらにそこから歌唱予約等の操作が可能なネットワークカラオケシステムを提供する。【選択図】図１
2017044946.tif 000002
【特許請求の範囲】
【請求項１】
楽曲データベースを有するネットワークカラオケシステムにおいて
歌唱用若しくは曲間告知用に再生されている楽曲について、楽曲情報を表示し、さらに当該楽曲を歌唱予約できることを特徴とするネットワークカラオケシステム。
【請求項２】
ネットワークを経由して、多機能携帯端末をカラオケ装置とペアリング接続することにより、特定のカラオケ装置のリモコン端末装置として使用できる請求項１記載のネットワークカラオケシステムにおいて、
歌唱用若しくは曲間告知用に再生されている楽曲について、当該多機能携帯端末に、楽曲情報を表示し、さらに当該楽曲を歌唱予約できることを特徴とする請求項１記載のネットワークカラオケシステム。
【請求項３】
ネットワークを経由して、多機能携帯端末をカラオケ装置とペアリング接続することにより、特定のカラオケ装置のリモコン端末装置として使用できる請求項２記載のネットワークカラオケシステムにおいて、
歌唱している楽曲、または曲間に演奏されている楽曲のいわゆる「楽曲詳細」を、当該多機能携帯端末に表示することを特徴とする請求項２記載のネットワークカラオケシステム。
【請求項４】
前記請求項３記載のネットワークカラオケシステムにおいて、
前記楽曲のいわゆる「楽曲詳細」から、当該楽曲の歌手の他の楽曲を参照できることを特徴とする請求項３記載のネットワークカラオケシステム。
【請求項５】
前記請求項１乃至４記載のネットワークカラオケシステムにおいて、
前記再生されている楽曲を、利用者が後に容易に歌唱予約できるように「持ち歌登録」できることを特徴とする請求項１乃至４記載のネットワークカラオケシステム。
【発明の詳細な説明】
【技術分野】
【０００１】
本発明は、カラオケ歌唱中に楽曲名等の情報を表示する機能に関するものである。
【背景技術】
【０００２】
最近のカラオケ装置は、歌唱開始時に楽曲名、歌手名が表示され、歌唱が始まると背景映像とともに、歌唱者の為に歌詞が表示され、歌唱中は楽曲名・歌手名は表示されなくなることが一般的である。
【０００３】
いったん歌唱が始まったあとでは、曲名を知る方法がないが、特に歌唱者以外の人が、曲名を知りたいと思うこともある。
【先行技術文献】
【特許文献】
【０００４】
【特許文献１】特開平７−６４５７６号公報
【特許文献２】特開平５−３３３８８５号公報
【発明の概要】
【発明が解決しようとする課題】
【０００５】
特許文献１は、カラオケ再生装置などの音声・映像再生システムにおいて、良好に曲名などの表示ができるようにする。記憶媒体に記憶された音声データ及び映像データを再生する再生手段と、この再生手段での再生を制御する制御手段と、再生手段から出力される映像データと他の映像データとを切換える切換手段とを設け、制御手段が記憶媒体から音声データ及び映像データを再生させている間、切換手段で再生手段から出力される映像データを選択させると共に、制御手段の制御による１単位の音声データ及び映像データの再生が終了したとき、切換手段で他の映像データを選択させるようにした。
【０００６】
特許文献２は、カラオケ音声と共に再生される動画像に曲名表示を行う。デジタルビデオ及びオーディオ信号をＭＰＥＧ規格によりデータ圧縮したデータ信号を用いてカラオケソフトを記録したディスクを再生する再生装置であって、データ伸張部から出力される複数種のビデオ信号を合成する漢字曲名表示装置，文字オンスクリーン表示装置を備えたカラオケ再生装置を提供する。
【０００７】
特許文献１は、カラオケ装置のモニタ画面にカラオケ歌唱時の映像に曲名表示を乗せるものであり、また特許文献２も特許文献１同様、画面上で合成を行うもので、利用者の照会に応じて楽曲名等の情報を利用者に提供するというものではない。
【課題を解決するための手段】
【０００８】
上記課題を解決するため本発明の請求項１は、楽曲データベースを有するネットワークカラオケシステムにおいて
歌唱用若しくは曲間告知用に再生されている楽曲について、
楽曲情報を表示し、
さらに当該楽曲を歌唱予約できることを特徴とするネットワークカラオケシステムである。
【０００９】
また請求項２は、ネットワークを経由して、多機能携帯端末をカラオケ装置とペアリング接続することにより、特定のカラオケ装置のリモコン端末装置として使用できる請求項１記載のネットワークカラオケシステムにおいて、
歌唱用若しくは曲間告知用に再生されている楽曲について、
当該多機能携帯端末に、楽曲情報を表示し、
さらに当該楽曲を歌唱予約できることを特徴とする請求項１記載のネットワークカラオケシステムである。
【００１０】
請求項３は、ネットワークを経由して、多機能携帯端末をカラオケ装置とペアリング接続することにより、特定のカラオケ装置のリモコン端末装置として使用できる請求項２記載のネットワークカラオケシステムにおいて、
歌唱している楽曲、または曲間に演奏されている楽曲の歌手名、歌い出し、発売年、ランキング等のいわゆる「楽曲詳細」情報を、当該多機能携帯端末に表示することを特徴とする請求項２記載のネットワークカラオケシステムである。
【００１１】
請求項４は、前記請求項３記載のネットワークカラオケシステムにおいて、
前記楽曲のいわゆる「楽曲詳細」情報から、当該楽曲の歌手の他の楽曲名を参照できることを特徴とする請求項３記載のネットワークカラオケシステムである。
【００１２】
請求項５は、前記請求項１乃至４記載のネットワークカラオケシステムにおいて、
前記再生されている楽曲を、利用者が後に容易に歌唱予約できるように「持ち歌登録」できることを特徴とする請求項１乃至４記載のネットワークカラオケシステムである。
【発明の効果】
【００１３】
通常カラオケ歌唱中の画面には歌詞や背景映像が表示され、楽曲名は表示されないのが一般的であったが、これにより、楽曲歌唱中に特に歌唱者以外の参加者が曲名を知りたいと思った時に、演奏中の歌唱を妨げることなく楽曲名を知ることができる。
【図面の簡単な説明】
【００１４】
【図１】本発明の実施例に係るリモコン画面のイメージ図である。
【図２】本発明の請求項３、請求項４に係る「楽曲詳細」の画面イメージ図である。
【図３】本発明の請求項４に係る楽曲一覧の画面イメージ図である。
【図４】本発明の請求項４に係る他の楽曲の「楽曲詳細」の画面イメージ図である。
【図５】本発明の請求項４に係る持ち歌表示画面。
【発明を実施するための形態】
【００１５】
本発明の実施イメージを図面で説明する。
カラオケ装置のリモコン端末として動作する利用者の多機能携帯端末１のメニュー画面上に楽曲名問い合わせアイコン２を表示する。請求項３の場合、このアイコン２がタップされると、その時演奏されている楽曲の詳細情報「楽曲詳細」が図２のように表示される。
【００１６】
また請求項４では、図２の「楽曲詳細」画面より歌手名３をタップすることにより、当該歌手の楽曲が図３のように一覧表示される。
【００１７】
また図１において、持ち歌アイコン７をタップすることにより図５のような画面で持ち歌を表示することができる。
請求項５においては、上記図２及び図４で楽曲詳細に表示されている「登録」アイコン５をタップすることにより、持ち歌に登録でき、上記図５のような持ち歌画面に追加される。
【符号の説明】
【００１８】
１・・・リモコン端末
２・・・楽曲名問い合わせアイコン「この曲なあに」
３・・・歌手名アイコン
４・・・楽曲名アイコン
５・・・登録アイコン
６・・・予約アイコン
７・・・持ち歌アイコン
【図１】
2017044946.tif 000003
【図２】
2017044946.tif 000004
【図３】
2017044946.tif 000005
【図４】
2017044946.tif 000006
【図５】
2017044946.tif 000007